(57)【要約】【課題】  携帯端末のユーザが現在地から目的地までの経路探索を行う際の利便性を高めることを可能とする。【解決手段】  本発明に係る携帯端末１０は、その現在位置をＧＰＳ機能により検出する現在位置検出部１１と、二次元バーコード化された目的地の位置情報を取得するコード読取り部１２とを備える。携帯端末１０は、位置情報送信部１３により、上記検出された現在位置情報と、上記取得された目的地位置情報とを、経路提示サーバ２０宛に送信する。携帯端末１０は、上記現在位置情報と上記目的地位置情報とを基に探索された経路が地図上に提示された経路地図を、経路地図受信部１４により受信すると、この経路地図を表示部１５に表示させる。【選択図】  図１
2005337867.tif 000002
【特許請求の範囲】
【請求項１】
携帯端末の現在位置を検出する検出手段と、
コード化された目的地の位置情報を取得する取得手段と、
前記検出手段により検出された現在位置情報と、前記取得手段により取得された目的地位置情報とを、サーバ装置宛に送信する送信手段と、
前記現在位置情報と前記目的地位置情報とを基に探索された経路を示すデータを受信する受信手段と、
前記受信手段により受信された前記データを表示する表示手段と
を備えることを特徴とする携帯端末。
【請求項２】
前記現在位置から前記目的地への移動手段を選択する選択手段を更に備え、
前記受信手段は、前記現在位置情報と前記目的地位置情報と、前記選択手段により選択された移動手段とを基に探索された経路を示すデータを受信することを特徴とする請求項１に記載の携帯端末。
【請求項３】
前記取得手段により取得された目的地位置情報を保持する保持手段を更に備え、
前記送信手段は、前記検出手段により検出された現在位置情報と、前記保持手段に保持されている目的地位置情報とを、サーバ装置宛に送信することを特徴とする請求項１に記載の携帯端末。
【請求項４】
請求項１に記載の携帯端末の現在位置情報と目的地位置情報とを受信する受信手段と、
前記現在位置情報と前記目的地位置情報とを基に、前記携帯端末の現在地から目的地までの経路を探索する探索手段と、
前記探索手段による経路探索結果と、前記現在位置情報と前記目的地位置情報とを、前記携帯端末の識別情報に対応付けて、履歴的に格納する格納手段と
を備えることを特徴とするサーバ装置。
【発明の詳細な説明】
【技術分野】
【０００１】
本発明は、位置情報を取得可能な携帯端末を使用して、移動経路を探索する技術に関する。
【背景技術】
【０００２】
従来、ＧＰＳ（Global Positioning System）を始めとする位置検出技術の発達に伴い、携帯端末の現在位置に応じた有益な情報を、インターネット等のネットワークを経由して、ユーザに提供するサービスが普及しつつある。一方で、携帯端末に内蔵されたカメラを用いて、雑誌などに印刷されたＱＲ（Quick Response）コード等の二次元コードから情報を読み取り、その情報をサーバ装置宛に送信する技術が提案されている（例えば、特許文献１。）。かかる技術を利用することで、携帯端末のユーザは、テキストデータの入力を自ら直接行うことなく、掲載記事に関連する情報など、所望の情報を容易に取得することができる。
【特許文献１】特開２００２−１１１９０９号公報
【発明の開示】
【発明が解決しようとする課題】
【０００３】
しかしながら、上記二つの従来技術は、それぞれ独立したサービスへの適用を想定したものであり、これらを組み合わせて、ユーザにとって更に利便性の高い技術を実現するものではない。すなわち、携帯端末の自己位置検出技術に関しては、ユーザの現在位置を地図上で把握することはできるものの、目的地の指定や変更、あるいは、目的地までの最適経路などを簡易に知ることはできない。また、二次元コード化されたデータを印刷物から読み取ることで、住所や緯度経度などの詳細情報を迅速に入手することはできるが、現在地が特定されない限り、最適な経路を検索することはできない。
【０００４】
そこで、本発明の課題は、携帯端末のユーザが現在地から目的地までの経路探索を行う際の利便性を高めることである。
【課題を解決するための手段】
【０００５】
上記課題を解決すべく、本発明に係る携帯端末は、携帯端末の現在位置を検出する検出手段と、コード化された目的地の位置情報を取得する取得手段と、前記検出手段により検出された現在位置情報と、前記取得手段により取得された目的地位置情報とを、サーバ装置宛に送信する送信手段と、前記現在位置情報と前記目的地位置情報とを基に探索された経路を示すデータを受信する受信手段と、前記受信手段により受信された前記データを表示する表示手段とを備える。
【０００６】
本発明に係る携帯端末によれば、現在地から目的地までの経路情報を取得するに際して、現在地の特定には、自端末が取得した現在位置情報が使用され、目的地の特定には、媒体上にコード化（例えば、二次元バーコード化）された位置情報が使用される。つまり、ユーザは、経路の探索に必要となる始点及び終点の双方の情報を、手操作で入力することなく指定することができる。このため、Ｗｅｂ画面上に手入力する場合と比較して、時間や手間が節減されるので、経路探索結果を簡易迅速に取得することができる。また、目的地や現在地の誤入力に伴う時間の浪費を抑止することもできる。その結果、携帯端末のユーザが現在地から目的地までの経路探索を行う際の利便性を高めることが可能となる。
【０００７】
なお、コード化された位置情報が掲載されている媒体とは、書籍や新聞などの紙媒体に限らず、ネットワーク上のＷｅｂページを始めとする電子媒体であってもよい。
【０００８】
本発明に係る携帯端末において好ましくは、前記現在位置から前記目的地への移動手段（例えば、電車、バス、自動車、二輪車、徒歩、及び、これらの組合せなど）を選択する選択手段を更に備え、前記受信手段は、前記現在位置情報と前記目的地位置情報と、前記選択手段により選択された移動手段とを基に探索された経路を示すデータを受信する。
【０００９】
本発明は、現在地から目的地までの移動を所望するユーザが、使用する移動手段を予め決めている状況を想定したものである。このような状況において、本発明に係る携帯端末は、選択された移動手段を使用した際の最適経路が地図上に提示されたデータを受信する。すなわち、ユーザは、自己の意思が反映された経路地図を見ながら移動することができるので、参照されない不要な経路地図まで受信・提示する場合と比較して、通信負荷、及びデータ検索の容易性の観点から、効率的である。
【００１０】
本発明に係る携帯端末は、前記取得手段により取得された目的地位置情報を保持する保持手段を更に備え、前記送信手段は、前記検出手段により検出された現在位置情報と、前記保持手段に保持されている目的地位置情報とを、サーバ装置宛に送信するものとしてもよい。
【００１１】
本発明に係る携帯端末によれば、以前に取得された、目的地の位置情報を、保持手段に常時保持しておくことにより、以降、上記目的地への経路を探索する際に、目的地位置情報を媒体から取得する必要が無くなる。したがって、ユーザの手元に媒体が存在しない時であっても、事前に保持された目的地位置情報を使用することで、その時の現在地から目的地への経路地図を容易に閲覧することができる。また、目的地位置情報はテキストデータであることから、画像データである地図情報と比較してデータ容量が小さい。したがって、取得された経路地図情報をそのまま保持する場合と比較してデータ保持領域を節約することができ、データ保持容量に制限のある携帯端末への適用にも好適である。
【００１２】
本発明に係るサーバ装置は、上述の携帯端末の現在位置情報と目的地位置情報とを受信する受信手段と、前記現在位置情報と前記目的地位置情報とを基に、前記携帯端末の現在地から目的地までの経路を探索する探索手段と、前記探索手段による経路探索結果と、前記現在位置情報と前記目的地位置情報とを、前記携帯端末の識別情報に対応付けて、履歴的に格納する格納手段とを備える。
【００１３】
本発明に係るサーバ装置によれば、携帯端末から経路探索が要求される度に、経路の探索結果、その経路探索に使用された現在位置及び目的地位置の情報、及び、携帯端末の識別情報が対応付けて格納されていく。このようにしてサーバ装置内に履歴的に蓄積された情報を、ユーザの利用状況として活用することで、経路探索機能に対するニーズをユーザ毎に把握することができる。また、サーバ装置が、ユーザの属性情報を併せて格納するものとすれば、性別や年齢、趣味嗜好に応じた経路探索のニーズを容易に把握することができる。
【発明の効果】
【００１４】
本発明によれば、ユーザの現在の位置情報と目的地の位置情報とから、ユーザにとって好適な経路を容易かつ迅速に知ることができる。その結果、携帯端末のユーザが現在地から目的地までの経路探索を行う際の利便性を高めることが可能となる。
【発明を実施するための最良の形態】
【００１５】
［第１の実施形態］
以下、添付図面を参照して、本発明の一実施の形態における経路提示システムについて説明する。説明の前提として、本実施の形態では、本発明の課題である最適経路の簡易迅速な提示を実現するために、インターネット経由で授受可能な経路地図データを提示情報として想定する。
【００１６】
まず、図１を参照して、本発明に係る携帯端末１０、及び経路提示サーバ２０（サーバ装置に対応）の機能的構成を説明する。図１に示すように、携帯端末１０は、現在位置検出部１１（検出手段に対応）とコード読取り部１２（取得手段に対応）と位置情報送信部１３（送信手段に対応）と経路地図受信部１４（受信手段に対応）と表示部１５（表示手段に対応）とを備えて構成されている。これら各構成部分は、バスを介して、相互に信号の入出力が可能なように接続されている。
【００１７】
現在位置検出部１１は、周知慣用の位置測定技術であるＧＰＳを用いて、携帯端末１０の現在位置を検出する。検出結果は、例えば“Ｅ140°43′56.9，Ｎ41°45′58.0”なるテキストデータに変換され、後段の位置情報送信部１３に出力される。
【００１８】
一方、コード読取り部１２は、紙媒体あるいは電子媒体に記録されている二次元コードから、経路探索の目的地の位置情報を取得する。取得された位置情報は、例えば“Ｅ139°32′79.1，Ｎ40°56′08.0”なるテキストデータに変換され、後段の位置情報送信部１３に出力される。
【００１９】
位置情報送信部１３は、現在位置検出部１１により検出された現在位置情報と、コード読取り部１２により取得された目的地位置情報とを、経路提示サーバ２０宛に送信する。これらの位置情報は、携帯端末１０に無線接続された基地局Ｂ、及びインターネットＮを経由して、携帯端末１０から経路提示サーバ２０に送信される。
【００２０】
経路地図受信部１４は、携帯端末１０の送信した現在位置情報と目的地位置情報とを基に経路提示サーバ２０の探索した経路が地図上に表示されたデータ（経路地図データ）を受信する。経路地図データの受信は、インターネットＮ及び基地局Ｂを介して行われる。
【００２１】
表示部１５は、経路地図受信部１４により受信された経路地図データを表示する。表示部１５は、物理的な構成要素としては、ＬＣＤ（Liquid Crystal Display）やＥＬＤ（ElectroLuminescent Display）により構成される。
【００２２】
図１に示すように、経路提示サーバ２０は、位置情報受信部２１（受信手段に対応）と経路探索部２２（探索手段に対応）と地図情報格納部２３と経路地図作成部２４と経路地図送信部２５とユーザ利用状況ＤＢ２６（格納手段に対応）とを備えて構成される。これら各構成部分は、バスを介して、相互に信号の入出力が可能なように接続されている。
【００２３】
位置情報受信部２１は、携帯端末１０から基地局Ｂ、インターネットＮ経由で送信された現在位置情報と目的地位置情報とを受信する。受信されたこれらの位置情報は、経路探索部２２に出力される。
経路探索部２２は、入力された現在位置情報の示す位置を始点とし、同じく目的地位置情報の示す位置を終点とする経路のうち、最適な経路の探索を行う。経路探索処理に関しては、周知慣用のアルゴリズムであるので、その詳細な説明及び図示は省略するが、ユーザの利便性を向上する観点から、所要時間が最短の経路、料金が最低の経路、所要距離が最短な経路などを最適経路とした探索処理が実行されることが望ましい。
【００２４】
地図情報格納部２３には、経路を提示可能な程度に詳細かつ拡大可能な平面地図のデータが地図情報として格納されている。地図情報は、路線や道路、建築物などの架設や変更による経時的変化に対応可能なように更新可能に格納されている。
【００２５】
経路地図作成部２４は、地図情報格納部２３に予め登録されている地図情報に、経路探索部２２による探索経路の情報を付加することにより、ユーザの視認可能な情報としての経路地図データを作成する。作成された経路地図データは、経路地図送信部２５に出力される。経路が複数探索された場合には、複数の経路を地図上に色分けで表示することもできる。また、地図上の経路は、必ずしも、現在地から目的地までの全経路を含むものでなくてもよく、現在地近傍の地図上の経路から順次、出力されるものとしてもよい。
経路地図送信部２５は、経路地図作成部２４より入力された経路地図データを、インターネットＮ及び基地局Ｂを経由して、携帯端末１０宛に送信する。
【００２６】
ユーザ利用状況ＤＢ２６には、経路探索部２２による経路の探索結果が、現在位置情報、目的地位置情報、及び携帯端末のＩＤに対応付けて履歴的に格納される。ユーザ利用状況ＤＢ２６は、物理的には、ＨＤＤ（Hard Disc Drive）を始めとする不揮発性の磁気ディスクにより構成可能であるが、データの秘匿性及び安全性が充分に確保された記憶装置であることが望ましい。
【００２７】
ユーザ利用状況ＤＢ２６におけるデータ格納例を図２に示す。図２に示すように、ユーザ利用状況ＤＢ２６は、ユーザＩＤ領域２６ａと現在位置領域２６ｂと目的位置領域２６ｃと時刻領域２６ｄと経路探索結果領域２６ｅとを有する。ユーザＩＤ領域２６ａには、携帯端末のユーザを一意に識別可能な数字データ（例えば、“0001”，“0002”，“0003”，・・・）がユーザＩＤとして格納されている。
【００２８】
また、現在位置領域２６ｂには、携帯端末からアクセスのあった時点における現在位置を表す経度緯度の情報（例えば、E140°43′56，N 41°45′58、…）が、ユーザＩＤと対応付けて格納される。同様に、目的位置領域２６ｃには、携帯端末のユーザが目的地として選択した位置を表す経度緯度の情報（例えば、E135°24′56，N 31°45′50、…）が、ユーザＩＤと対応付けて格納される。
【００２９】
更に、時刻領域２６ｄには、対応するユーザＩＤを有する携帯端末からアクセスのあった時刻、すなわち現在地と目的地の各位置情報の受信日時（例えば、“2004/05/07 17：47”、…）が格納される。そして、経路探索結果領域２６ｅには、経路探索部２２により探索された、対応する現在位置と目的地位置とを結ぶ経路のデータが、経路探索結果として格納される。これにより、ユーザＩＤの特定に伴い、「どのユーザが何月何日の何時に如何なる経路による移動を所望したか」の参照が可能となる。かかる情報は、ユーザの行動時間帯や行動パターンの把握に役立つとともに、属性情報（性別、年齢など）やアクセス回数と組み合わせることで、ユーザの特性に応じた情報の収集または提供を効率的に行うことを可能とする。このように、ユーザ利用状況ＤＢ２６に蓄積された情報を利用すれば、効果的な広告宣伝あるいは有効なマーケティングリサーチの実現に資することができる。
【００３０】
続いて、図３を参照して、携帯端末１０と経路提示サーバ２０とが連携して実行する経路地図提示処理を説明する。
まずＳ１では、現在位置検出部１１のＧＰＳ機能により、携帯端末１０の現在位置情報が取得される。
Ｓ２では、二次元バーコードとして媒体上に記録されている目的地位置情報が、コード読取り部１２により取得される。例えば、携帯端末１０のユーザが店舗に行こうとしている場合には、媒体は店舗が紹介されている雑誌であり、目的地位置情報は、その店舗の位置する緯度及び経度の情報である。
【００３１】
携帯端末１０のユーザが経路地図の送信要求を指示すると（Ｓ３；ＹＥＳ）、Ｓ１で取得された現在位置情報とＳ２で取得された目的地位置情報とが、インターネットＮ経由で経路提示サーバ２０宛に送信される（Ｓ４）。
双方の位置情報は、経路提示サーバ２０の位置情報受信部２１により受信され（Ｓ５）、経路探索部２２に出力される。
【００３２】
経路探索部２２は、Ｓ５で入力された現在位置情報からユーザの現在地を特定するとともに、目的地位置情報からユーザの目的地を特定する。そして、所定のアルゴリズムに従って、現在地から目的地までの最適経路を探索することで、経路探索結果を得る（Ｓ６）。
経路探索結果は、経路地図作成部２４に出力された後、予め登録されている携帯端末１０のユーザＩＤに対応付けて、ユーザ利用状況ＤＢ２６に格納される（Ｓ７）。
【００３３】
次いで、経路地図作成部２４により、上記経路探索結果に該当する領域の地図データが地図情報格納部２３から読み出され、当該地図データ上に上記経路探索結果が付加される。その結果、経路探索結果が反映された経路地図データが作成される（Ｓ８）。この経路地図データは、経路地図送信部２５に出力された後、経路地図送信部２５により、経路提示サーバ２０から携帯端末１０宛に送信される（Ｓ９）。
なお、経路地図データは、有償、無償を問わない。有償の場合には、購入された経路地図データの代金の請求方法は、個別請求、通信費用を含めた一括請求など、任意である。
【００３４】
Ｓ９で送信された経路地図データは、携帯端末１０の経路地図受信部１４により受信され（Ｓ１０）、その後、表示部１５に表示される（Ｓ１１）。表示される経路地図データの一例を図４に示す。図４において、経路地図データ１５１の中には、最適な経路を示す経路探索結果１５１ａが、現在位置及び進行方向を表す記号とともに表示されている。携帯端末１０のユーザは、この経路地図を参照しながら、経路探索結果に沿って移動することで、所望の目的地に最適経路で到達することができる。
【００３５】
以上説明したように、本実施の形態における経路提示システム１によれば、携帯端末１０と経路提示サーバ２０とが連携して動作することにより、携帯端末１０のユーザが目的地に容易に到達することを可能とする。すなわち、携帯端末１０は、ユーザによる文字や数字の入力を待つことなく、現在地と目的地の双方の位置情報を取得することができるので、携帯端末１０のユーザは、経路地図データの送信要求を指示するという容易な操作で経路地図を入手することができる。経路地図上には、目的地までの最適経路が経路探索結果として提示されており、ユーザは、これを参照することで、現在地から最適経路を通って目的地に到達することができる。
【００３６】
［第２の実施形態］
次に、図５〜図８を参照して、本発明の第２の実施形態について説明する。詳細に関しては後述するが、第２の実施形態における経路提示システム２では、第１の実施形態における経路提示システム１に加えて、携帯端末が、移動手段選択機能と目的地情報保持機能とを併有する。
【００３７】
図５は、第２の実施形態における経路提示システム２の機能的構成を示すブロック図である。携帯端末３０の構成は、第１の実施形態において詳述した携帯端末１０の構成と類似するので、共通する構成要素には同列（末尾の数字が同一）の符号を付しその説明は省略すると共に、第１の実施形態との差異について詳述する。
【００３８】
すなわち、携帯端末３０は、図５に示すように、現在位置検出部３１（検出手段に対応）とコード読取り部３２（取得手段に対応）と位置情報送信部３３（送信手段に対応）と経路地図受信部３４（受信手段に対応）と表示部３５と移動手段選択部３６（選択手段に対応）と目的地情報保持部３７（保持手段に対応）とを備えて構成される。現在位置検出部３１とコード読取り部３２と位置情報送信部３３と経路地図受信部３４と表示部３５の各部は、現在位置検出部１１とコード読取り部１２と位置情報送信部１３と経路地図受信部１４と表示部１５とにそれぞれ相当する。
【００３９】
携帯端末３０に特有の構成要素である移動手段選択部３６は、ユーザによる入力操作に従って、移動手段選択用画面上に掲げられた複数の移動手段候補の中から、目的地への移動に使用する手段の選択を行う。移動手段の候補としては、例えば、電車、バス、自動車、二輪車、徒歩などが挙げられ、これらの中から少なくとも１つの移動手段が、移動手段選択部３６により選択される。
【００４０】
目的地情報保持部３７は、ＥＥＰＲＯＭ（Electrically Erasable Programmable Read-Only Memory）を始めとする不揮発性の半導体メモリにより構成される。目的地情報保持部３７には、ユーザからの指示に応じて、コード読取り部１２の取得した目的地位置情報が保持される。目的地情報保持部３７は、目的地位置情報を、その名称（識別情報）や備考と対応付けて保持する。
【００４１】
なお、本実施の形態における経路提示サーバの要部構成は、第１の実施形態において詳述した経路提示サーバ２０の構成と同様であるので、共通する構成要素には同一の符号を付すとともに、その説明は省略する。
【００４２】
続いて、図６〜図８を参照して、第２の実施形態における経路地図提示処理について説明する。なお、本経路地図提示処理は、第１の実施形態において詳述した経路地図提示処理（図３参照）と基本的に同様である。具体的には、図６のＴ１，Ｔ２，Ｔ５〜Ｔ７、図７のＴ１４〜Ｔ１８は、図３に示したＳ１，Ｓ２，Ｓ３〜Ｓ５，Ｓ７〜Ｓ１１にそれぞれ相当する。
【００４３】
以下、各経路地図提示処理の差異であるＴ３，Ｔ４について説明する。すなわち、目的地位置情報が取得された後に、経路地図の取得後もこの情報を継続して保持するか否かの判定が為される（Ｔ３）。ユーザが目的地位置情報の保持を指示すると（Ｔ３；ＹＥＳ）、Ｔ２で取得された目的地位置情報は、該情報を特定可能な名称と共に、目的地情報保持部３７に記憶される（Ｔ４）。以後、携帯端末３０のユーザが、目的地を同一とする経路の探索を行う場合には、目的地情報が記録された媒体が手元に無くとも、Ｔ４で記憶された目的地位置情報を再使用することで、経路地図の送信を要求することができる。
なお、Ｔ３において、目的地位置情報の保持が指示されない場合には（Ｔ３；ＮＯ）、Ｔ４の処理は省略され、携帯端末３０は、経路地図の送信要求の指示を待機する。
【００４４】
図７に移り、Ｔ８では、経路提示サーバ２０は、現在位置情報及び目的地位置情報の受信を契機として（図６に示したＴ７）、移動手段選択用画面を携帯端末３０宛に送信する。これにより、移動手段選択用画面を介した移動手段の選択指示が実現される。図８を参照しながら詳述すると、移動手段の選択候補として“電車、バス、自動車、二輪車、徒歩”が掲載された移動手段選択用画面３５１が、経路提示サーバ２０から携帯端末３０に向けて送信される。携帯端末３０は、経路地図受信部３４により、当該画面データを受信すると、これを表示部３５に表示する（Ｔ９）。
【００４５】
携帯端末３０のユーザは、Ｔ９で表示された移動手段選択用画面３５１（図８参照）を参照し、移動手段として“電車＆バス”の選択を行う（Ｔ１０）。この選択処理は、移動手段選択部３６が、ユーザの操作に従って、電車及びバスの文字上にカーソルを合わせた後に、位置情報送信部３３に対して決定を通知する信号を出力することで完了する。
【００４６】
Ｔ１０で選択された移動手段（選択結果）は、位置情報送信部３３を介して、基地局Ｂ及びインターネットＮ経由で、経路提示サーバ２０宛に送信される（Ｔ１１）。経路提示サーバ２０は、位置情報受信部２１により、上記選択結果を受信すると（Ｔ１２）、この受信を契機として、現在地から目的地までの経路探索処理を実行する。この経路探索処理は、携帯端末３０側で取得された現在位置情報と目的地位置情報とに加えて、Ｔ１０で選択された移動手段の情報を基に行われる（Ｔ１３）。したがって、ユーザが目的地に到達するまでに利用を所望する移動手段が反映された経路の探索が可能となり、不要な経路探索に伴う処理負荷の増大や応答時間のロスを極力低減することができる。
【００４７】
例えば、目的地まで徒歩で行く場合と自動車を用いる場合、更には電車に乗る場合とで、使用する道路や道のりが異なることが予想される。移動手段の事前選択を可能とすることは、かかる状況において特に効果的である。自動車をもたないユーザにとっては、自動車での移動を想定した経路の提示は無駄であるし、徒歩圏内にない遠隔地への移動を所望するユーザに対して、徒歩通路を最適経路とした経路地図の提示は不要である。そこで、本実施の形態における携帯端末３０のように、移動手段を基にした最適経路の絞込みを行うことで、ユーザは、必要最小限の提示情報の中から所望の経路を選択することができる。
【００４８】
Ｔ１３にて、時間、料金、距離、乗継ぎ回数を基準とした経路探索処理を実行した結果、複数の最適経路が探索されることもある。かかる場合には、これら複数の経路探索結果を携帯端末３０宛に一旦送信し、ユーザの選択した経路探索結果に基づく経路地図データを作成するものとしてもよい。この態様において、携帯端末３０のユーザに提示される経路選択用画面の一例を図９に示す。図９に示すように、表示部３５には、探索された複数の経路で使用される移動手段が、駅名や所要時間に併せて表示される。そして、ユーザが、これらの経路案１〜３の中から所望の経路案を選択すると、その経路が地図上に記載された経路地図データが作成される。これにより、使用する移動手段はもとより、希望する経路が反映された、ユーザにとってより有益性の高い経路地図が提示されることになる。その結果、ユーザの利便性は更に向上する。
【００４９】
なお、上記各実施の形態に記載の態様は、本発明に係る携帯端末及び経路提示サーバの好適な例であり、本発明は、かかる態様に限定されるものではない。
例えば、本実施の形態では、携帯端末として携帯電話を想定して説明したが、これに限らず、ＰＤＡ（Personal Digital Assistance）やパーソナルコンピュータ等、通信機能を備えた端末であればよい。
【００５０】
また、地図情報あるいはユーザ情報は、経路提示サーバ自体の有する格納手段に格納されるものとしたが、経路提示サーバとは別体に構成された外部装置（例えば、サーバ管理業者の運用するＤＢ専用装置）の格納手段に格納されるものとしてもよい。前者の場合には、経路提示サーバは、経路地図の送信要求を受信する度に、外部装置に対して、地図情報の送信を要求する必要がなく、通信負荷低減や応答速度向上の観点から好適である。これに対して、後者の場合には、経路提示サーバは、取得が要求される可能性のある全ての地図情報を事前に保持しておく必要がないので、格納手段のデータ容量を節減できる。
【図面の簡単な説明】
【００５１】
【図１】第１の実施形態における経路提示システムの機能的構成を示す図である。
【図２】第１及び第２の実施形態におけるユーザ利用状況ＤＢ内部のデータ格納例を示す図である。
【図３】第１の実施形態における経路地図提示処理を説明するためのフローチャートである。
【図４】第１及び第２の実施形態における経路地図データの表示例を示す図である。
【図５】第２の実施形態における経路提示システムの機能的構成を示す図である。
【図６】第２の実施形態における経路地図提示処理の前半部分を説明するためのフローチャートである。
【図７】第２の実施形態における経路地図提示処理の後半部分を説明するためのフローチャートである。
【図８】第２の実施形態における経路地図提示処理の実行に際して表示される移動手段選択画面の一例を示す図である。
【図９】第２の実施形態における経路地図提示処理の実行に際して表示される経路選択画面の一例を示す図である。
【符号の説明】
【００５２】
１，２…経路提示システム、１０，３０…携帯端末、１１，３１…現在位置検出部、１２，３２…コード読取り部、１３，３３…位置情報送信部、１４，３４…経路地図受信部、１５，３５…表示部、２０…経路提示サーバ、２１…位置情報受信部、２２…経路探索部、２３…地図情報格納部、２４…経路地図作成部、２５…経路地図送信部、２６…ユーザ利用状況ＤＢ、３６…移動手段選択部、３７…目的地情報保持部、Ｂ…基地局、Ｎ…公衆通信網
【図１】
2005337867.tif 000003
【図２】
2005337867.tif 000004
【図３】
2005337867.tif 000005
【図４】
2005337867.tif 000006
【図５】
2005337867.tif 000007
【図６】
2005337867.tif 000008
【図７】
2005337867.tif 000009
【図８】
2005337867.tif 000010
【図９】
2005337867.tif 000011